(57)【要約】【課題】付勢力の弱小化を抑制することが可能なミラー昇降機構および撮像装置を提供する。【解決手段】ミラー昇降機構は、反射部材の昇降動作に連動する連結用突起部３６と、ガイド部２１ｈを有する移動部材２１と、移動部材２１を上向きに付勢する第１付勢手段２７と、移動部材２１の係止用突起部２１ｐを係止して第１付勢手段２７の付勢力を抑止する係止部材２３と、連結用突起部３６と移動部材２１との間に設けられ連結用突起部３６を下向きに付勢する第２付勢手段２９とを備える。反射部材が外部からの力によってミラーダウン位置から所定位置にまで移動されるときには、連結用突起部３６がガイド部２１ｈに沿って上昇し、連結用突起部３６からガイド部２１ｈを介して移動部材２１に対して付与される押圧力により移動部材２１が移動する。そして、係止用突起部２１ｐの係止が解除され、第１付勢手段２７の付勢力により移動部材２１が上昇する。【選択図】図２４
2010039244.tif 000002
【特許請求の範囲】
【請求項１】
撮像装置であって、
撮影光学系からの被写体像を反射する反射部材と、
前記反射部材をミラーアップ位置とミラーダウン位置との間で昇降する昇降機構と、
を備え、
前記昇降機構は、
前記反射部材の昇降動作に連動して昇降移動する連結用突起部と、
前記連結用突起部を案内するガイド部を有する移動部材と、
前記移動部材を上向きに付勢する第１付勢手段と、
前記移動部材に設けられた係止用突起部を係止して前記第１付勢手段の付勢力を抑止する係止部材と、
前記連結用突起部と前記移動部材との間に設けられ、前記連結用突起部を下向きに付勢する第２付勢手段と、
を有し、
前記反射部材が前記ミラーダウン位置に存在するときには、前記係止用突起部が前記係止部材に係止され前記第１付勢手段の付勢力が抑止されて前記移動部材が停止するとともに、前記連結用突起部は前記第２付勢手段の付勢力によって前記ガイド部の下端側において前記移動部材に対して押し付けられており、
前記反射部材が、外部からの力によって、前記ミラーダウン位置から、前記ミラーダウン位置と前記ミラーアップ位置との間の所定位置にまで移動されるときには、前記連結用突起部が前記ガイド部に沿って上昇するとともに、前記連結用突起部から前記ガイド部を介して前記移動部材に対して付与される押圧力により前記移動部材が移動することによって、前記係止部材による前記係止用突起部の係止が解除され、前記第１付勢手段の付勢力により前記移動部材が上昇する、撮像装置。
【請求項２】
請求項１に記載の撮像装置において、
前記連結用突起部は、所定の軸を中心に回転可能に設けられ、
前記ガイド部は、上昇移動中の前記連結用突起部を当該連結用突起部の円弧状移動経路に沿ってガイド可能な円弧状の仮想ガイド曲線に対して、前記所定の軸とは反対側に突出するガイド面を有しており、
前記反射部材が外部からの力によって前記ミラーダウン位置から前記所定位置にまで移動されるときには、前記連結用突起部が前記ガイド部に沿って上昇するとともに、前記連結用突起部から前記ガイド部の前記ガイド面を介して前記移動部材に対して付与される押圧力により前記移動部材が移動することによって、前記係止用突起部と前記係止部材との係止が解除される、撮像装置。
【請求項３】
請求項２に記載の撮像装置において、
前記ガイド部は、前記移動部材における長孔として設けられる、撮像装置。
【請求項４】
請求項１に記載の撮像装置において、
前記連結用突起部は、所定の軸を中心に回転可能に設けられ、
前記ガイド部は、上昇移動中の前記連結用突起部を当該連結用突起部の円弧状移動経路に沿ってガイド可能な円弧状の仮想ガイド曲線の一部として構成される第１の部分と、前記仮想ガイド曲線に対して前記所定の軸とは反対側に突出する第２の部分とを有しており、
前記反射部材が外部からの力によって前記ミラーダウン位置から前記所定位置にまで移動されるときには、前記連結用突起部が前記ガイド部に沿って上昇するとともに、前記連結用突起部から前記第２の部分を介して前記移動部材に対して付与される押圧力により前記移動部材が移動することによって、前記係止用突起部と前記係止部材との係止が解除される、撮像装置。
【請求項５】
請求項１に記載の撮像装置において、
前記昇降機構は、
撮影指示に応じて所定の向きに移動するレリーズレバー、
をさらに有し、
前記ミラーダウン状態において前記レリーズレバーが前記所定の向きに移動すると、前記レリーズレバーからの押圧力に応じて前記係止部材が移動して前記係止部材による前記係止用突起部の係止状態が解除され、前記第１付勢手段の付勢力により前記移動部材が上昇し、当該移動部材からの押圧力を受けて前記連結用突起部および前記反射部材が上昇する、撮像装置。
【請求項６】
ミラー昇降機構であって、
反射部材の昇降動作に連動して昇降移動する連結用突起部と、
前記連結用突起部を案内するガイド部を有する移動部材と、
前記移動部材を上向きに付勢する第１付勢手段と、
前記移動部材に設けられた係止用突起部を係止して前記第１付勢手段の付勢力を抑止する係止部材と、
前記連結用突起部と前記移動部材との間に設けられ、前記連結用突起部を下向きに付勢する第２付勢手段と、
を備え、
前記反射部材が前記ミラーダウン位置に存在するときには、前記係止用突起部が前記係止部材に係止され前記第１付勢手段の付勢力が抑止されて前記移動部材が停止するとともに、前記連結用突起部は前記第２付勢手段の付勢力によって前記ガイド部の下端側において前記移動部材に対して押し付けられており、
前記反射部材が、外部からの力によって、前記ミラーダウン位置から、前記ミラーダウン位置と前記ミラーアップ位置との間の所定位置にまで移動されるときには、前記連結用突起部が前記ガイド部に沿って上昇するとともに、前記連結用突起部から前記ガイド部を介して前記移動部材に対して付与される押圧力により前記移動部材が移動することによって、前記係止部材による前記係止用突起部の係止が解除され、前記第１付勢手段の付勢力により前記移動部材が上昇する、ミラー昇降機構。
【発明の詳細な説明】
【技術分野】
【０００１】
本発明は、デジタルカメラなどの撮像装置に関し、特にミラー昇降機構に関する。
【背景技術】
【０００２】
一眼レフレックス式のカメラにおいては、ミラー（反射部材）を上昇位置（ミラーアップ位置）と下降位置（ミラーダウン位置）との間で昇降するミラー昇降機構が設けられる（例えば、特許文献１参照）。
【０００３】
このようなミラー昇降機構においては、ミラーを上昇させる向きの付勢力を付与するバネ（付勢部材）とミラーを下降させる向きの付勢力を付与するバネとが設けられることが多い。
【０００４】
【特許文献１】特開昭５８−１２６５２２号公報
【発明の開示】
【発明が解決しようとする課題】
【０００５】
ところで、メンテナンス時等において撮影レンズがカメラ本体から外された状態においては、ユーザはカメラ本体内のミラーに触れることが可能である。
【０００６】
このような状況において、ミラーダウン状態のミラーをユーザが手指等で無理に押し上げようとすると、ミラー昇降機構が破損しかねない。
【０００７】
このような破損を回避するためには、ミラーの上昇運動を許容するように構成しておくことが好ましい。
【０００８】
例えば、ミラーがユーザによりミラーアップ位置まで上昇される際に、一方のバネ（ミラーを下降させる向きの付勢力を付与するバネ）を大きく伸ばすことによって、当該バネの弾性力を用いて破損を防止する構成を採用することが可能である。
【０００９】
しかしながら、このような構成においては、バネが伸び過ぎてしまうために、当該バネの付勢力（引張力）が弱小化してしまうことがある。このような状況は好ましいものではない。
【００１０】
そこで、この発明の課題は、付勢力の弱小化を抑制することが可能なミラー昇降機構およびそれに関連する技術を提供することにある。
【課題を解決するための手段】
【００１１】
本発明は、撮像装置およびミラー昇降機構であって、反射部材の昇降動作に連動して昇降移動する連結用突起部と、前記連結用突起部を案内するガイド部を有する移動部材と、前記移動部材を上向きに付勢する第１付勢手段と、前記移動部材に設けられた係止用突起部を係止して前記第１付勢手段の付勢力を抑止する係止部材と、前記連結用突起部と前記移動部材との間に設けられ、前記連結用突起部を下向きに付勢する第２付勢手段とを備え、前記反射部材が前記ミラーダウン位置に存在するときには、前記係止用突起部が前記係止部材に係止され前記第１付勢手段の付勢力が抑止されて前記移動部材が停止するとともに、前記連結用突起部は前記第２付勢手段の付勢力によって前記ガイド部の下端側において前記移動部材に対して押し付けられており、前記反射部材が、外部からの力によって、前記ミラーダウン位置から、前記ミラーダウン位置と前記ミラーアップ位置との間の所定位置にまで移動されるときには、前記連結用突起部が前記ガイド部に沿って上昇するとともに、前記連結用突起部から前記ガイド部を介して前記移動部材に対して付与される押圧力により前記移動部材が移動することによって、前記係止部材による前記係止用突起部の係止が解除され、前記第１付勢手段の付勢力により前記移動部材が上昇するものである。
【発明の効果】
【００１２】
本発明によれば、外部からの力によって反射部材がミラーダウン位置から所定位置にまで移動されるときには、連結用突起部がガイド部に沿って上昇するとともに、連結用突起部からガイド部を介して移動部材に対して付与される押圧力により移動部材が移動することによって、係止部材による係止用突起部の係止が解除され、第１付勢手段の付勢力により移動部材が上昇する。そのため、連結用突起部と移動部材との距離が短縮されるので、第２付勢手段の付勢力が弱小化することを抑制できる。
【発明を実施するための最良の形態】
【００１３】
以下、本発明の実施形態を図面に基づいて説明する。
【００１４】
＜１．構成概要＞
図１は、本発明の実施形態に係る撮像装置１の外観構成を示す斜視図である。この撮像装置１は、レンズ交換式一眼レフレックスタイプのデジタルカメラとして構成されている。
【００１５】
図１に示すように、撮像装置１は、カメラ本体部（装置本体部）２を備えている。このカメラ本体部２に対して、交換式（着脱式）の撮影レンズユニット（交換レンズ）３が着脱可能である。なお、図１では、撮影レンズユニット３が離脱された状態が示されているが、撮影動作は、撮影レンズユニット３が装着された状態で実行される。一方、装置内部のメンテナンス作業（例えば清掃作業）等は、図１のように撮影レンズユニット３が離脱された状態で行われる。
【００１６】
撮影レンズユニット３は、主として、鏡胴、ならびに、鏡胴の内部に設けられるレンズ群及び絞り等によって構成される。当該レンズ群（撮影光学系）には、光軸方向に移動することによって焦点位置を変更するフォーカスレンズ等が含まれている。
【００１７】
カメラ本体部２は、撮影レンズユニット３が装着される円環状のレンズマウント部（レンズ装着部）Ｍｔを正面略中央に備え、撮影レンズユニット３を着脱するための着脱ボタン１２を円環状のレンズマウント部Ｍｔ付近に備えている。
【００１８】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池が収納されており、カード収納室には撮影画像の画像データを記録するためのメモリカードが着脱可能に収納される。
【００１９】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子を用いて被写体像（被写体の光像）に関する露光動作を行い、その露光動作によって得られた画像信号に所定の画像処理を施す一連の動作）が行われる。このように、レリーズボタン１１が半押し状態Ｓ１にまで押下されると、撮像装置１は、「撮影準備指示」が付与されたものと判定し、当該撮影準備指示に応じた動作を実行する。また、レリーズボタン１１が全押し状態Ｓ２にまで押下されると、撮像装置１は、「撮影指示」が付与されたものと判定し、当該撮影指示に応じた動作を実行する。
【００２０】
図１に示すように、撮影レンズユニット３から入射した被写体像の光路（撮影光路）上には、ミラー機構６が設けられている。ミラー機構６は、撮影光学系からの光を上方に向けて反射する主ミラー６ａ（主反射面）を有している。この主ミラー６ａは、例えばその一部または全部がハーフミラーとして構成され、撮影光学系からの光の一部を透過する。また、ミラー機構６は、主ミラー６ａを透過した光を下方に反射させるサブミラー６ｂ（副反射面）（不図示）をも有している。サブミラー６ｂで下方に反射された光は、ＡＦモジュール（不図示）へと導かれて入射し、位相差方式のＡＦ動作に利用される。
【００２１】
レリーズボタン１１が全押し状態Ｓ２にされる前まで（すなわち構図決め時において）、ミラー機構６はミラーダウン状態となるように配置される（図１）。そして、この際には、撮影レンズユニット３からの被写体像は、主ミラー６ａで反射され観察用光束として上方に進行する。主ミラー６ａで上方に反射された被写体像（光像）は、上方に配置されたペンタプリズムの反射面において更に反射され、接眼レンズおよびファインダ窓を通過して、撮影者の眼に到達する。この状態において、光学ビューファインダ（ＯＶＦ）を用いた構図決め動作が行われる。
【００２２】
その後、レリーズボタン１１が全押し状態Ｓ２にされると、ミラー機構６は、ミラーアップ状態となるように駆動され、露光動作が開始される。詳細には、撮影光学系からの光（被写体像）を遮らないように主ミラー６ａとサブミラー６ｂとが上方に跳ね上げられ、撮影レンズユニット３からの光が、主ミラー６ａで反射されることなく進行して、シャッタの開放期間に合わせて撮像素子（不図示）に到達する。このように、被写体からの光束（被写体像）が撮影レンズユニット３を通過して撮像素子に導かれることによって、被写体に係る撮影画像（撮影画像データ）が得られる。また、露光動作の終了後には、ミラー機構６は再びミラーダウン状態に復帰する。
【００２３】
なお、撮像素子（例えばＣＭＯＳセンサ等）は、カメラ本体部２の内部において、ミラーダウン状態のミラー機構６よりもカメラ背面側に設けられている。当該撮像素子は、撮影レンズユニット３からの被写体の光像（被写体像）を光電変換作用により電気的信号に変換する受光素子であり、本撮影画像に係る画像信号（記録用の画像信号）を生成して取得する。具体的には、撮像素子は、受光面に結像された被写体像の露光（光電変換による電荷蓄積）を行い、当該被写体像に係る画像信号を生成する。
【００２４】
＜２．ミラーボックス付近の構成＞
カメラ本体部２は、その内部空間において、略直方体形状のミラーボックス２０を備えている。ミラーボックス２０は、ミラー機構６を収容するとともに、当該ミラー機構６に関する昇降機構等を有する構造物である。この昇降機構（ミラー昇降機構とも称する）は、ミラー機構６（主ミラー６ａ等）をミラーアップ状態の位置（ミラーアップ位置）とミラーダウン状態の位置（ミラーダウン位置）との間で昇降移動させる。
【００２５】
図２は、ミラーボックス２０の概要を示す斜視図である。図２においては、ミラーボックス２０の左側面（図の手前左側の面）を比較的詳細に示す一方で、他の部分を比較的簡略化して示している。図２に示すように、ミラーボックス２０は、そのマウント部側と上面側と背面側とに、それぞれ、開口部ＯＰｆ，ＯＰｕ，ＯＰｂを有している。例えば、主ミラー６ａのミラーダウン状態においては、撮影レンズユニット３側からの被写体像は、ミラーボックス２０のマウント側（カメラ前面側）の開口部ＯＰｆを通過した後に主ミラー６ａにて上方に反射される。そして、当該被写体像は更にミラーボックス２０の上面側の開口部ＯＰｕを通過して、ペンタミラー等へ向けて進行する。一方、主ミラー６ａのミラーアップ状態においては、撮影レンズユニット３側からの被写体像は、ミラーボックス２０のマウント側の開口部ＯＰｆを通過した後、そのまま、ミラーボックス２０の背面側の開口部ＯＰｂを通過して、撮像素子に到達する。
【００２６】
また、ミラーボックス２０の左右の側面には、ミラー機構６の昇降移動を行うための機構が設けられている。
【００２７】
図３〜図７は、ミラーボックス２０の詳細構成を示す図である。図３は正面図であり、図４は図３のＩ−Ｉ断面を示す断面図である。また、図５はカメラ正面からみて左側の側面図（左側面図）であり、図６はカメラ正面からみて右側の側面図（右側面図）である。さらに、図７は背面図である。
【００２８】
図８は、ミラー機構６の構成を示す概略図である。ただし、図８においては、サブミラー６ｂの図示を省略している。また、図９は、ミラー昇降用のリンク機構を示す概略図であり、図１０は、その一部の部品３１を示す上面図である。さらに、図１１〜図１４は、ミラー昇降機構を構成する一部の部品２１，２３，２５を示す図である。図１１は連結レバー２１の斜視図であり、図１３は係止レバー２３の斜視図であり、図１４はレリーズレバー２５の斜視図である。また、図１２は連結レバー２１の一部を拡大した平面図である。
【００２９】
図９に示すように、ミラーボックス２０は、ミラー機構６（図８）を昇降するリンク機構を備えている。
【００３０】
このリンク機構は、複数の部品３１ａ，３２ａ，３１ｂ，３２ｂ，３１ｃ，３３ａ，３３ｂを備えている。
【００３１】
図８に示すように、リンク３３ａはミラー機構６（詳細にはミラーホルダ６ｈ）の左側面部に固定されており、リンク３３ｂはミラー機構６（詳細にはミラーホルダ６ｈ）の右側面部に固定されている。
【００３２】
また、図９に示すように、リンク３１ａ，３２ａとリンク３１ｂ，３２ｂとは、ミラー機構６を挟み、当該ミラー機構６の左右両側にそれぞれ設けられている。
【００３３】
図５にも示すように、ミラーボックス２０の一側面（左側面）において、リンク３１ａ，３２ａとが設けられている。リンク３１ａは、その伸延方向の一端側において、ミラーボックス２０の側面部に回動可能に取り付けられており、軸ＡＸ１（図９）を中心に回動することが可能である。また、リンク３２ａは、その伸延方向の一端側において、ミラーボックス２０の側面部に回動可能に取り付けられており、軸ＡＸ２を中心に回動することが可能である。さらに、リンク３１ａの他端側はリンク３３ａ（図８も参照）に回動可能に取り付けられており、リンク３２ａの他端側は、リンク３１ａとは別の位置にて、リンク３３ａに対して回動可能に取り付けられている。リンク３１ａはリンク３３ａに対して軸ＡＸ３を中心に回動可能であり、リンク３２ａはリンク３３ａに対して軸ＡＸ４を中心に回動可能である。リンク３１ａの当該他端側とリンク３２ａの当該他端側とはリンク部材３３ａによって相互に接続されており、リンク３１ａ，３２ａ，３３ａによってリンク機構が形成されている。
【００３４】
同様に、図６に示すように、ミラーボックス２０の反対側の側面（右側面）にリンク３１ｂ，３２ｂが設けられており、リンク３１ｂ，３２ｂ，３３ｂによってリンク機構が形成されている。
【００３５】
また、リンク３１ａとリンク３１ｂとは主ミラー６ａの背面側において接続部材３１ｃ（図７、図９および図１０参照）により接続されており、３つの部材３１ａ，３１ｂ，３１ｃは、一体化されて構成されている。これにより、左右の２つのリンク機構が互いに同期して移動する。
【００３６】
さらに、図９に示すように、リンク３１ａには、外側に突出する連結ピン３６（図９参照）が軸ＡＸ３付近において固定されて設けられている。連結ピン３６が上下方向に移動すると、上述のリンク機構を介して主ミラー６ａがその角度を変更しつつ上下方向に移動する。また逆に、主ミラー６ａがその角度を変更しつつ上下方向に移動すると、連結ピン３６も上下方向に移動する。このように、連結ピン３６の上下方向の移動動作と、主ミラー６ａの上下方向の移動動作とは連動している。すなわち、連結ピン３６は、主ミラー６ａの昇降動作に連動して昇降移動する。
【００３７】
なお、連結ピン３６は、連結レバー２１（次述）と主ミラー６ａを移動させるリンク３１ａ等とを連結する突起部であることから、「連結用突起部」とも称される。
【００３８】
また、図５に示すように、ミラーボックス２０の左側面には、連結レバー２１と回動部材２２と係止レバー２３とレリーズレバー２５とバネ２７，２９とが設けられている。
【００３９】
連結レバー（移動部材とも称する）２１は、図１１に示すように、略細長形状を有している。この連結レバー２１は、取付部２１ｃと長孔２１ｈと係止ピン２１ｐと取付部２１ｓと孔２１ｅとを有している。
【００４０】
係止ピン２１ｐ（係止用突起部とも称する）は、連結レバー２１の略中央右側において外側（紙面手前側）に向けて突出する略円柱状の突起部として設けられている。この係止ピン２１ｐは、ミラーダウン状態において、係止レバー２３の係止部２３ｋ（後述）によって係止される。
【００４１】
取付部２１ｃにはバネ２７（図５）の下端側が取り付けられ、取付部２１ｓにはバネ２９（図５）の下端側が取り付けられる。
【００４２】
また、長孔２１ｈには連結ピン３６が貫通して配置される（図５参照）。この長孔２１ｈは、連結ピン３６を嵌挿する溝部（連結ピン３６の嵌挿用の溝部）、あるいは、当該連結ピン３６を案内するガイド部（案内部）、とも称される。自動ミラーアップ動作（後述）時においては、連結ピン３６は、長孔２１ｈの下端側に（詳細には当該下端に当接して）存在し、長孔２１ｈに対して相対的に移動することなく、連結レバー２１とともに上下に移動する。一方、ユーザの操作力によるミラーアップ操作時においては、連結ピン３６は長孔２１ｈに沿って連結レバー２１に対して相対的に移動する。このように、連結レバー２１は、連結ピン３６との相対移動が許容された状態で連結ピン３６に連結されている。
【００４３】
さらに、下端側の孔２１ｅには、略半円形状の回動部材２２（図５）の腕部２２ｆから立設された軸部材（不図示）が貫通し、連結レバー２１は回動部材２２に対して軸ＡＸ６（図５）を中心に回動することが可能である。また、回動部材２２は、腕部２２ｆの反対側の腕部２２ｇにおいてミラーボックス２０に対して回動可能に取り付けられており、回動部材２２は軸ＡＸ５を中心にミラーボックス２０の左側面に対して回動可能である。
【００４４】
回動部材２２は、モータを有する駆動部（不図示）に接続されており、当該駆動部による駆動力によって連結レバー２１は下向きに移動される。具体的には、回動部材２２が軸ＡＸ５を中心に反時計回りに回動すると、回動部材２２の腕部２２ｆが下向きに移動し、連結レバー２１が軸ＡＸ６付近の結合部で下向きの力を付与されて下向きに移動する。
【００４５】
係止レバー（係止部材とも称する）２３は、図１３に示すように、上方先端部側に切り欠き部（開口部）を有する略細長形状を有している。また、当該切り欠き部においては図１３の水平方向左向きに凹んだ凹部が設けられている。当該凹部は、連結レバー２１の係止ピン２１ｐを係止する係止部２３ｋとして機能する。係止部２３ｋが係止ピン２１ｐを係止することによって、次述するバネ２７の上向きの付勢力が抑止されて連結レバー２１が停止する。さらに、係止レバー２３は、孔２３ｈを有している。孔２３ｈには、ミラーボックス２０の左側面から立設された軸部材（不図示）が貫通し、係止レバー２３は軸ＡＸ８を中心に回動することが可能である。また、係止レバー２３の孔２３ｈ付近においては、ねじりバネ２４が配置されている。このねじりバネ２４は、軸ＡＸ８を中心として時計回りに係止レバー２３を回転させる付勢力を、当該係止レバー２３に対して付与している。
【００４６】
レリーズレバー２５は、図１４に示すように、略細長形状を有しており、その中央部に設けられた凹部に孔２５ｈを有している。上方の先端部２５ｄは電磁石（不図示）による駆動部に接続されており、当該電磁石の駆動によってレリーズレバー２５は軸ＡＸ７を中心に回動することが可能である。また、この電磁石の駆動に応じて、レリーズレバー２５が軸ＡＸ７を中心に回転することにより、下方の先端部２５ｅは、図１４の左右方向（水平方向）に移動することが可能である。
【００４７】
バネ２７（図５）は、主ミラー６ａを上昇移動させる向き（上向き）の付勢力を付与するバネである。具体的には、バネ２７は、ミラーボックス２０の左側面の取付部２０ｃと連結レバー２１の取付部２１ｃとの間において、自然長よりも伸びた状態で設けられている。このバネ２７の引張力によって、連結レバー２１は上方に向けて移動しようとする。すなわち、連結レバー２１は上方に向けて移動する向きに付勢されている。
【００４８】
特に、ミラーダウン状態においては、バネ２７による上向きの付勢力はバネ２９（次述）による下向きの付勢力よりも大きく、連結レバー２１は上方に向けて移動しようとする。ただし、ミラーダウン状態においては、係止レバー２３の係止部２３ｋが連結レバー２１の係止ピン２１ｐを係止することによって、連結レバー２１の上昇が抑止される。
【００４９】
バネ２９は、主ミラー６ａを下降位置（ミラーダウン位置）ＰＤ（図４）に維持するための付勢力を付与するバネである。バネ２９は、連結ピン３６と連結レバー２１の取付部２１ｓとの間において、自然長よりも伸びた状態で設けられている。このバネ２９の引張力によって連結ピン３６は下向きに移動しようとする。すなわち、バネ２９は、連結ピン３６を下方に向けて移動させる向きに付勢している。ミラーダウン状態においては、連結ピン３６はバネ２９による下向きの付勢力によって長孔２１ｈの下端部に当接する位置（下端位置）にまで下降しており、連結ピン３６は当該下端位置において連結レバー２１に対して押し付けられている。これにより、主ミラー６ａは所定のミラーダウン位置（下降位置）に配置される。なお、バネ２９は、押し当て用のバネ、あるいは、オーバーチャージ用のバネとも称される。
【００５０】
＜３．撮影時におけるミラー昇降動作＞
まず、撮影時における自動ミラーアップ動作について説明する。図１６および図１７はミラーアップ状態を示す図であり、図１５は、その中間状態（自動ミラーアップ動作中における係止解除時点）を示す図である。図１５および図１６はミラーボックス２０の左側面図であり、図１７は断面図である。また、図１８〜図２１は、連結レバー２１と係止レバー２３との相対位置関係を中心に示す図である。図１８〜図２１は、ミラーダウン状態（図３〜図７）からミラーアップ状態（図１６，図１７）への遷移動作中の各状態を時系列で示している。
【００５１】
ミラーダウン状態（図５、図１８）においては、係止レバー２３の係止部２３ｋが連結レバー２１の係止ピン２１ｐを係止しており、バネ２７の上向きの付勢力が抑止され、当該付勢力による連結レバー２１の上昇が抑止されている。この結果、連結レバー２１が停止している。また、連結ピン３６は、バネ２９の下向きの付勢力によって、連結レバー２１の長孔２１ｈの下端部において連結レバー２１に対して押し付けられている。この結果、連結ピン３６およびリンク機構を介して、主ミラー６ａが所定のミラーダウン位置に停止する。特に、主ミラー６ａはバネ２９による下向きの押し付け力を伴ってミラーダウン位置に保持されているため、主ミラー６ａはミラーダウン位置に正確に配置される。
【００５２】
このミラーダウン状態において、レリーズボタン１１が全押し状態Ｓ２にまで押下されて撮影指示が付与されると、当該撮影指示に応じて電磁石（不図示）の駆動によりレリーズレバー２５の先端部２５が右側に移動し、レリーズレバー２５は時計回りに回転する。この回転に伴って、下方の先端部２５ｅは、左側に移動して、係止レバー２３の右側面に対して押圧力を付与する。この押圧力により、係止レバー２３は軸ＡＸ８を中心に反時計回りに回転移動する。図１５および図１９は、係止レバー２３の当該回転直後の状態を示している。
【００５３】
図１５および図１９に示すように、係止レバー２３が軸ＡＸ８を中心に反時計回りに回転すると、係止部２３ｋが係止ピン２１ｐの左側に移動し、係止部２３ｋによる係止ピン２１ｐの係止状態が解除される。
【００５４】
このため、連結レバー２１の上昇抑止状態も解除され、バネ２７の上向きの付勢力によって連結レバー２１が上昇する。このとき、連結ピン３６は連結レバー２１の長孔２１ｈの下端部から上向きの押圧力を受けて、連結レバー２１によって上昇させられる（図２０参照）。詳細には、連結ピン３６は、軸ＡＸ１（図９）を中心に時計回りに回転しつつ上昇する。また、連結ピン３６はバネ２９の下向きの付勢力によって長孔２１ｈの下端部に押し付けられたまま上昇する。これにより、連結ピン３６に対してリンク機構を介して接続された主ミラー６ａも上昇する。
【００５５】
その後、連結ピン３６が所定の位置にまで到達すると、主ミラー６ａが所定の上昇位置（ミラーアップ位置）ＰＵにまで到達して停止する（図１７参照）。これにより、図１６，図１７および図２１に示すようなミラーアップ状態に遷移する。また、図１６に示すように、レリーズレバー２５は反時計回りに回転し、レリーズレバー２５の先端部２５ｄが左側に移動して元の位置に復帰する。また、この回転に伴って、レリーズレバー２５の下方の先端部２５ｅが右側に移動して元の位置に復帰する。このとき、ねじりバネ２４（図１３参照）の付勢力によって、係止レバー２３は軸ＡＸ８を中心に時計回りに回転して元の位置に復帰する（図１６参照）。
【００５６】
なお、ミラーアップ状態への上記遷移動作期間においては、連結ピン３６と連結レバー２１とは上下方向には殆ど相対的に移動しないため、バネ２９の伸び量（およびバネ２９の長さ）はほぼ不変である。
【００５７】
その後、所定期間の露光動作が完了すると、今度は、再びミラーダウン状態に復帰する。以下では、この復帰動作、すなわち撮影時におけるミラーダウン動作について説明する。
【００５８】
このミラーダウン動作においては、図１６の状態から、回動部材２２がモータ駆動によって、軸ＡＸ５を中心に反時計回りに回動する。そして、回動部材２２の当該回動動作に応じて、回動部材２２の腕部２２ｆが下向きに移動するとともに、軸ＡＸ６付近で回動可能に結合されている連結レバー２１が下向きに移動する。
【００５９】
この連結レバー２１の下降動作に応じて、バネ２９の引張力によって連結ピン３６も下降する。そのため、連結ピン３６にリンク機構を介して接続されている主ミラー６ａも下降する。
【００６０】
また、連結レバー２１の下降動作に応じて、係止ピン２１ｐも下降する。係止ピン２１ｐは、さらに係止レバー２３の先端の斜行部２３ｂ（図１３）に接触しながら下降する。このとき、係止レバー２３は係止ピン２１ｐからの押圧力（ねじりバネ２４の付勢力よりも大きな押圧力）を受けて、軸ＡＸ８を中心に反時計回りに回動する。
【００６１】
その後、係止レバー２３の左向きの凹部の上端部にまで係止ピン２１ｐが下降すると、係止ピン２１ｐからの左右方向（水平方向）の押圧力が小さくなり、ねじりバネ２４の付勢力によって係止レバー２３が軸ＡＸ８を中心に再び時計回りに回動する。これによって、係止レバー２３が元の位置に復帰するとともに、再び係止ピン２１ｐが係止部２３ｋによって係止され、連結レバー２１が元の下方位置へと復帰する。このとき、連結レバー２１の下降に応じてバネ２９および連結ピン３６を介して下降させられてきた主ミラー６ａは、ミラーダウン位置（下降位置）へと到達する。
【００６２】
以上のようにして、撮影時におけるミラーダウン動作が実行される。
【００６３】
＜４．ユーザの操作力が作用する際の動作＞
つぎに、ユーザの操作力が作用する際のミラーアップ動作について説明する。
【００６４】
この実施形態に係る撮像装置１においては、図２２に示すようにユーザが手指等を用いて主ミラー６ａを上昇させる場合には、主ミラー６ａが位置ＰＭ（図２３）にまで上昇した時点で、係止レバー２３による係止が解除される。そして、バネ２７の付勢力によって主ミラー６ａがミラーアップ位置ＰＵ（図２３）にまでさらに上昇する。なお、位置ＰＭは、ミラーダウン位置ＰＤ（図４）とミラーアップ位置ＰＵとの間の所定位置（例えば中央位置）である。
【００６５】
後述するように、このような動作によって、オーバーチャージ用のバネ（押し当て用のバネ）２９の伸び量の増大を抑制することが可能である。したがって、バネ２９の弾性力が弱小化することを回避することが可能である。以下では、このような動作について詳細に説明する。
【００６６】
図２４は、主ミラー６ａがミラーダウン位置ＰＤから上昇して位置ＰＭに到達した瞬間を示す図である。また、図２５〜図２９は、主ミラー６ａの上昇に応じた状態遷移を時系列で示す図である。図２５は、ミラーダウン状態を示しており、図２６は主ミラー６ａが位置ＰＭに到達した瞬間を示している。また、図２７および図２８は、連結レバー２１が高速に上昇する様子を示しており、図２９は主ミラー６ａがミラーアップ位置に到達した状態を示している。
【００６７】
ミラーダウン状態（図５、図２２および図２５等参照）において、ユーザが手指等を用いて主ミラー６ａを上昇させると、連結ピン３６が軸ＡＸ１を中心に時計回りに回転しつつ上昇する。このとき、連結レバー２１の係止ピン２１ｐは係止部２３ｋによって係止されているため、連結レバー２１は上昇しない。そのため、連結ピン３６は、長孔２１ｈに沿って、連結レバー２１に対して相対的に上昇移動する。なお、このとき、撮影時の自動ミラーアップ動作とは異なり、レリーズレバー２５は移動しない。そのため、係止レバー２３も停止したままである。
【００６８】
ここにおいて、図１２に示すように、長孔２１ｈの右側（カメラ前方側）の内側面（ガイド面とも称される）は、２つの部分Ｂ１，Ｂ２を有している。
【００６９】
部分Ｂ１は、軸ＡＸ１（連結ピン３６の回転中心）を中心とする所定半径ｒ１の円弧に沿って形成される部分である。ここで、半径ｒ１は、軸ＡＸ１と連結ピン３６の中心との距離Ｄから略円柱状の連結ピン３６の半径ｒ３（不図示）を差し引いた長さである（ｒ１＝Ｄ−ｒ３）。また、部分Ｂ１は、仮想ガイド曲線ＣＬ（図１２）の一部である、とも表現される。ここで、当該仮想ガイド曲線ＣＬは、上昇移動中の連結ピン３６を当該連結ピン３６の円弧状移動経路に沿ってガイドすることが可能な円弧状のガイド曲線である。
【００７０】
一方、部分Ｂ２は、部分Ｂ１に連続して設けられる部分であって、比較的大きな曲率半径ｒ２（ｒ２＞ｒ１）の円弧に沿って形成される部分である。ここでは、値ｒ２は無限大であり、部分Ｂ２は直線状に形成されている。この結果、部分Ｂ２は、軸ＡＸ１を中心とする所定半径ｒ１の円弧よりも図の左側（連結ピン３６側）に突出するように形成されている。換言すれば、部分Ｂ２は、円弧状の仮想ガイド曲線ＣＬに対して、軸ＡＸ１とは反対側に突出する部分である。すなわち、部分Ｂ２は円弧状の仮想ガイド曲線ＣＬよりも外側に突出している。
【００７１】
さて、連結ピン３６が長孔２１ｈのガイド面に沿って相対的に上昇移動するとき、連結ピン３６は円弧状の移動経路に沿って移動する。そして、連結ピン３６は部分Ｂ１との接触位置を経て部分Ｂ２との接触位置に到達する。連結ピン３６が部分Ｂ２との接触位置に到達した後においては、連結ピン３６は長孔２１ｈの右側のガイド面（詳細には部分Ｂ２）を介して水平方向右向きの押圧力を連結レバー２１に対して付与する。長孔２１ｈのガイド面が円弧状の仮想ガイド曲線ＣＬよりも外側（図１２の左側）に突出しているためである。このとき、（係止部２３ｋにより係止ピン２１ｐが係止されているために）連結レバー２１は上下方向には移動できない（図５参照）が、連結レバー２１は左右方向には移動することができる。そのため、連結ピン３６が部分Ｂ２（図１２）にガイドされつつ円弧状の移動経路に沿って移動すると、水平方向右向きの押圧力が連結ピン３６から連結レバー２１に対して付与され、連結レバー２１が右向きに（カメラ前面側へ）移動する。この結果、係止ピン２１ｐも図５の右向きに移動する。すなわち、係止ピン２１ｐが、係止レバー２３の係止部２３ｋから退避する向きに移動する。
【００７２】
そして、主ミラー６ａが位置ＰＭ（図２３）にまで上昇すると、図２４および図２６に示すように、連結ピン３６が連結レバー２１に対して所定の位置にまで相対的に上昇している。このとき、連結ピン３６の上昇移動に伴って係止ピン２１ｐが所定程度右向き（係止部２３ｋから退避する向き）に移動し、その結果、係止ピン２１ｐの係止部２３ｋによる係止状態が解除される。
【００７３】
係止ピン２１ｐの係止状態が解除されると、図２７に示すように、バネ２７による上向きの付勢力によって連結レバー２１は高速で上昇する。連結レバー２１が高速で上昇する直前においては、連結ピン３６は低速上昇中であるか或いはほぼ停止している状態である。そのため、連結レバー２１の高速上昇中（詳細には上昇開始直後）においては、連結ピン３６が連結レバー２１の長孔２１ｈに対して今度は相対的に下降する。そして、図２８に示すように、連結ピン３６は長孔２１ｈの下端部に当接する。
【００７４】
その後も、バネ２７の上向きの付勢力により連結レバー２１はさらに上昇しようとするため、連結レバー２１から連結ピン３６へと上向きの力が付与される。この連結レバー２１からの力を受けて、連結ピン３６は長孔２１ｈの下端部に接触した状態で上昇する。詳細には、連結ピン３６は軸ＡＸ１を中心に時計回りに回転しつつ上昇する。そして、主ミラー６ａがリンク３１ａ，３２ａ，３３ａ，３１ｂ，３２ｂ，３３ｂなどによって所定の上昇位置（ミラーアップ位置）ＰＵ（図２３）にまで到達して停止すると、連結ピン３６も所定の位置にまで上昇して停止する（図２９参照）。これにより、図１６および図１７に示すようなミラーアップ状態に遷移する。なお、図２５から図２９に至る遷移動作においては、レリーズレバー２５および係止レバー２３は停止したままである。
【００７５】
以上のようにして、ミラーアップ状態への強制遷移動作が実行される。
【００７６】
このように、主ミラー６ａが外部からの力（ユーザの操作力等）によってミラーダウン位置ＰＤから位置ＰＭへと移動されるときには、連結ピン３６が長孔２１ｈに沿って上昇するとともに、連結ピン３６から連結レバー２１に対して押圧力が付与される。そして、この押圧力により連結レバー２１が略水平方向に移動することによって、係止ピン２１ｐと係止レバー２３との係止が解除される。すなわち、図２２に示すように主ミラー６ａが外部からの力で上昇され、主ミラー６ａが所定位置ＰＭ（図２３）にまで上昇した時点で、係止レバー２３による連結レバー２１の係止が解除される（図２４）。
【００７７】
その後、係止レバー２３による連結レバー２１に対する係止が解除され、バネ２７の付勢力によって連結レバー２１が上昇し、主ミラー６ａがミラーアップ位置ＰＵにまでさらに上昇する。そして、この連結レバー２１の上昇動作によって、連結ピン３６と連結レバー２１（詳細には取付部２１ｓ）との相対距離が元の大きさに戻り短縮される（図１６参照）。これによれば、図２４と図１６とを比較すると判るように、連結ピン３６と取付部２１ｓとの間に設けられたバネ２９の長さが元の大きさに戻る（短縮される）。そのため、オーバーチャージ用のバネ（押し当て用のバネ）２９が図２４の状態から更に伸びてしまうこと（特に応力限界を超え塑性変形が生じる程度にまで伸びてしまうこと）を回避できる。したがって、バネ２９の弾性力が弱小化することを回避することが可能である。
【００７８】
特に、図１２に示すように、連結レバー２１の長孔２１ｈは、軸ＡＸ１を中心に所定半径の円弧に沿って形成される部分Ｂ１だけでなく、略直線部分Ｂ２を有している。ここにおいて、主ミラー６ａの上昇動作に伴って軸ＡＸ１を中心に回動する連結ピン３６を長孔２１ｈに沿って通過させるためには、長孔２１ｈは連結ピン３６の通過域の全体にわたって所定半径の円弧状部分のみを有するように形成されれば充分である。これに対して、この実施形態においては、敢えて部分Ｂ２を長孔２１ｈに設けることによって、連結ピン３６が連結レバー２１を右向き（カメラ前面側）へ押し出すように構成されている。これにより、上記のような係止ピン２１ｐの退避動作（係止ピン２１ｐの係止解除動作）が可能になる。
【００７９】
なお、ユーザが手指等を用いて主ミラー６ａを上昇させようとしても（図２２参照）主ミラー６ａが上昇しないようなミラー昇降機構を構成することも可能である。例えば、連結ピン３６（図５参照）を連結レバー２１の長孔２１ｈの下端部付近に設けた円孔（不図示）に嵌合（遊嵌）させて、連結ピン３６と連結レバー２１との相対移動を許容しないように構成するようにすればよい。ただし、この場合には、所定以上の力が加えられると主ミラー６ａあるいはリンク部材等が破損してしまうおそれがある。
【００８０】
これに対して、上記実施形態によれば、ユーザが手指等を用いて主ミラー６ａを上昇させようとする場合にも、このような破損が生じることを回避することが可能である。
【００８１】
また、図３０の比較例に示すように、上記の連結レバー２１の代わりに連結レバー１２１を設けることによっても、上記のような破損が生じることを回避できる。この連結レバー１２１は、軸ＡＸ１を中心に回動する連結ピン３６の円弧状の軌跡に沿って孔１２１ｈを有している。孔１２１ｈの上端側は、主ミラー６ａがミラーアップ位置に到達するときの連結ピン３６の位置（上端位置）Ｐ９にまで伸びている。これによれば、ユーザ操作による主ミラー６ａの上昇時に係止ピン２１ｐの係止を解除することなく、連結ピン３６を孔１２１ｈに沿って位置Ｐ９にまで移動させて、主ミラー６ａをミラーアップ位置にまで到達させることができる。なお、ユーザが主ミラー６ａを上昇させる力を弱めると、バネ２９の下向きの付勢力によって連結ピン３６が孔１２１ｈに沿って下降し、主ミラー６ａは再びミラーダウン位置に戻る。
【００８２】
ただし、この比較例においては、連結ピン３６が位置Ｐ９にまで移動すると、バネ２９の伸び量が非常に大きくなる。そのため、主ミラー６ａを上昇位置へと強引に移動させる操作に応じて、オーバーチャージ用のバネ（押し当て用のバネ）２９が大きく引き伸ばされてしまう。そして、例えば弾性限度よりも大きな応力が作用する程度にまでバネ２９が伸ばされると、バネ２９が塑性変形しバネ２９の弾性力が弱小化してしまう、という問題が存在する。
【００８３】
また、この比較例のように比較的長い長孔１２１ｈを連結レバーに設けると、当該連結レバー１２１が大型化し、さらには連結レバー１２１上昇時の上部スペースを確保するためにミラー昇降機構（ひいては撮像装置）が大型化してしまうという問題も存在する。
【００８４】
これに対して、上記実施形態によれば、ユーザから操作力が主ミラー６ａに加えられた場合には、係止ピン２１ｐの係止が解除され連結レバー２１が上昇する。このとき、連結ピン３６は連結レバー２１に対して相対的に下降し、連結ピン３６は連結レバー２１に対して相対的にさらに上昇することがない。すなわち、連結ピン３６と連結レバー２１との距離が短縮化される。したがって、連結ピン３６と連結レバー２１との間に取り付けられるバネ２９がさらに伸ばされることを回避して、バネ２９の付勢力が弱小化することを回避できる。
【００８５】
また、上記実施形態においては、長孔２１ｈは、その上端側において、係止ピン２１ｐの係止解除時（図２４および図２６参照）における連結ピン３６の位置まで伸びていればよく、図３０の位置Ｐ９にまで伸びていることを要しない。そのため、当該長孔２１ｈの長さを短くすることができる。したがって、連結レバー２１を小型化することができ、ひいては撮像装置１を小型化（詳細にはその高さを抑制）することが可能である。
【００８６】
＜５．その他＞
以上、この発明の実施の形態について説明したが、この発明は上記説明した内容のものに限定されるものではない。
【００８７】
たとえば、上記実施形態においては、長孔２１ｈにおける部分Ｂ２（図１２）は略直線部分として形成されているが、これに限定されず、曲線部分として形成されてもよい。
【００８８】
また、上記実施形態においては、長孔２１ｈにおいて２つの部分Ｂ１，Ｂ２が設けられる場合を例示したが、これに限定されない。例えば、部分Ｂ１を設けることなく、部分Ｂ２のみを設けるようにしてもよい。
【００８９】
また、上記実施形態においては、連結レバー２１に長孔２１ｈ（図１２）が設けられている場合を例示したが、これに限定されない。例えば、長孔２１ｈの上方の接続部を除去して当該上方を開放した略Ｕ字状の溝部を当該連結レバー２１に設けるようにしてもよい。あるいは、長孔２１ｈの右側（カメラ前面側）のガイド面を残しつつ、長孔２１ｈの左側（カメラ背面側）のガイド面の一部あるいは全部を除去するようにしてもよい。
【００９０】
また、上記実施形態においては、デジタルカメラにおいて、本発明の思想を適用する場合を例示したが、これに限定されず、フィルム式のカメラなどに上記の思想を適用するようにしてもよい。
【図面の簡単な説明】
【００９１】
【図１】撮像装置の外観構成を示す斜視図である。
【図２】ミラーボックスの概要を示す斜視図である。
【図３】ミラーボックスの正面図である。
【図４】図３のＩ−Ｉ断面を示す断面図である。
【図５】ミラーボックスの左側面図である。
【図６】ミラーボックスの右側面図である。
【図７】ミラーボックスの背面図である。
【図８】ミラー機構の構成を示す概略図である。
【図９】ミラー昇降用のリンク機構を示す概略図である。
【図１０】リンク機構の一部品を示す上面図である。
【図１１】連結レバーの斜視図である。
【図１２】連結レバーの一部を拡大した平面図である。
【図１３】係止レバーの斜視図である。
【図１４】レリーズレバーの斜視図である。
【図１５】ミラーが中間位置に存在するときのミラーボックス２０の左側面図である。
【図１６】ミラーアップ状態におけるミラーボックスの左側面図である。
【図１７】ミラーアップ状態におけるミラーボックスの断面図である。
【図１８】連結レバーと係止レバーとの相対位置関係を示す図である。
【図１９】連結レバーと係止レバーとの相対位置関係を示す図である。
【図２０】連結レバーと係止レバーとの相対位置関係を示す図である。
【図２１】連結レバーと係止レバーとの相対位置関係を示す図である。
【図２２】ユーザが主ミラーを上昇させる様子を示す図である。
【図２３】ユーザが主ミラーをさらに上昇させるときに、主ミラーが高速に上昇する様子を示す図である。
【図２４】主ミラーが位置ＰＭに到達した瞬間を示す図である。
【図２５】主ミラーの上昇に応じた状態遷移を時系列で示す図である。
【図２６】主ミラーの上昇に応じた状態遷移を時系列で示す図である。
【図２７】主ミラーの上昇に応じた状態遷移を時系列で示す図である。
【図２８】主ミラーの上昇に応じた状態遷移を時系列で示す図である。
【図２９】主ミラーの上昇に応じた状態遷移を時系列で示す図である。
【図３０】比較例に係る連結レバーを示す図である。
【符号の説明】
【００９２】
１  撮像装置
２  カメラ本体部
６ａ  主ミラー
２０  ミラーボックス
２０ｃ，２１ｃ，２１ｓ  取付部
２１  連結レバー（移動部材）
２１ｈ  長孔（ガイド部）
２１ｐ  係止ピン（係止用突起部）
２２  回動部材
２３  係止レバー（係止部材）
２３ｋ  係止部
２４，２７，２９  バネ
２５  レリーズレバー
３１ａ，３２ａ，３３ａ，３１ｂ，３２ｂ，３３ｂ  リンク
３６  連結ピン（連結用突起部）
【図１】
2010039244.tif 000003
【図２】
2010039244.tif 000004
【図３】
2010039244.tif 000005
【図４】
2010039244.tif 000006
【図５】
2010039244.tif 000007
【図６】
2010039244.tif 000008
【図７】
2010039244.tif 000009
【図８】
2010039244.tif 000010
【図９】
2010039244.tif 000011
【図１０】
2010039244.tif 000012
【図１１】
2010039244.tif 000013
【図１２】
2010039244.tif 000014
【図１３】
2010039244.tif 000015
【図１４】
2010039244.tif 000016
【図１５】
2010039244.tif 000017
【図１６】
2010039244.tif 000018
【図１７】
2010039244.tif 000019
【図１８】
2010039244.tif 000020
【図１９】
2010039244.tif 000021
【図２０】
2010039244.tif 000022
【図２１】
2010039244.tif 000023
【図２２】
2010039244.tif 000024
【図２３】
2010039244.tif 000025
【図２４】
2010039244.tif 000026
【図２５】
2010039244.tif 000027
【図２６】
2010039244.tif 000028
【図２７】
2010039244.tif 000029
【図２８】
2010039244.tif 000030
【図２９】
2010039244.tif 000031
【図３０】
2010039244.tif 000032